(57)【要約】【課題】紙葉類処理装置において、特定の落書きを含む紙葉類に関する情報のデータベース化を可能にする。【解決手段】紙葉類処理装置（紙幣処理装置１００）は、紙葉類の画像を取得するよう構成された画像取得部と、画像取得部が取得した画像を利用することによって、紙葉類の識別を行うよう構成された識別部３と、少なくとも画像取得部が取得した画像を記憶するよう構成された記憶部１３１と、を備える。識別部は、公序良俗に反するとして予め設定された基準に従って、紙葉類に含まれる特定の落書きを検知し、記憶部は、識別部が特定の落書きを検知したときには、紙葉類に特定の落書きが含まれていることを示す情報と、当該紙葉類の画像と、を対応付けて記憶する。【選択図】図５
2016081283.tif 000002
【特許請求の範囲】
【請求項１】
紙葉類を一枚ずつ搬送するよう構成された搬送部と、
前記搬送部が前記紙葉類を搬送している最中に、前記紙葉類の画像を取得するよう構成された画像取得部と、
前記画像取得部が取得した画像を利用することによって、前記紙葉類の識別を行うよう構成された識別部と、
少なくとも前記画像取得部が取得した画像を記憶するよう構成された記憶部と、を備え、
前記識別部は、公序良俗に反するとして予め設定された基準に従って、前記紙葉類に含まれる特定の落書きを検知し、
前記記憶部は、前記識別部が前記特定の落書きを検知したときには、前記紙葉類に前記特定の落書きが含まれていることを示す情報と、当該紙葉類の画像と、を対応付けて記憶する紙葉類処理装置。
【請求項２】
前記画像取得部は、前記紙葉類の全体画像を取得し、
前記画像取得部が取得した全体画像を元に加工をすることによって、前記紙葉類の一部分の画像を作成するよう構成された画像加工部をさらに備え、
前記記憶部は、前記画像取得部が取得した前記紙葉類の全体画像、又は、前記画像加工部が加工した前記紙葉類の一部分の画像を、前記紙葉類に前記特定の落書きが含まれていることを示す情報と対応付けて記憶する請求項１に記載の紙葉類処理装置。
【請求項３】
前記識別部が前記特定の落書きを検知したときに、前記紙葉類に前記特定の落書きが含まれていることを示す情報と、当該紙葉類の画像と、を外部装置に出力するよう構成された出力部をさらに備えている請求項１又は２に記載の紙葉類処理装置。
【請求項４】
前記記憶部に記憶されている情報の中から、前記特定の落書きを含む前記紙葉類の検索を行うよう構成された検索部をさらに備えている請求項１〜３のいずれか１項に記載の紙葉類処理装置。
【請求項５】
前記識別部は、前記紙葉類が損券であるか、又は、リジェクト券であるかを少なくとも識別し、
前記識別部の識別結果に基づいて、前記紙葉類に関する処理を行うよう構成された処理部と、
前記処理部が行う処理の内容をユーザが設定可能に構成された設定部と、をさらに備え、
前記設定部は、前記処理部が、前記特定の落書きを含む前記紙葉類である特定紙葉類を、損券として処理するか、又は、リジェクト券として処理するかを、ユーザが切り替え可能に構成されている請求項１〜４のいずれか１項に記載の紙葉類処理装置。
【請求項６】
前記識別部が識別した後の前記紙葉類が搬送される搬送先を複数備え、
前記処理部は、前記特定紙葉類を損券として処理するときには、損券が搬送される搬送先に、前記特定紙葉類を搬送する請求項５に記載の紙葉類処理装置。
【請求項７】
前記紙葉類は、紙幣であり、
前記処理部は、前記特定紙葉類を損券として処理するときには、当該特定紙葉類を、金種毎のカウント対象にする請求項５又は６に記載の紙葉類処理装置。
【請求項８】
前記処理部は、前記特定紙葉類をリジェクト券として処理するときには、前記リジェクト券が搬送されるリジェクト部に、前記特定紙葉類を搬送する請求項５〜７のいずれか１項に記載の紙葉類処理装置。
【請求項９】
集積した前記紙葉類をテープで結束するよう構成されたテープ結束部と、
前記テープ結束部で結束する前記紙葉類を集積する集積部と、をさらに備え、
前記設定部は、前記処理部が前記特定紙葉類を前記集積部に搬送するときに、当該特定紙葉類を含む前記紙葉類を、前記テープで結束するか、又は、結束しないかを、前記ユーザが切り替え可能に構成されている請求項５〜８のいずれか１項に記載の紙葉類処理装置。
【発明の詳細な説明】
【技術分野】
【０００１】
ここに開示する技術は、紙葉類処理装置に関する。   
【背景技術】
【０００２】
特許文献１には、装置に投入された紙幣が、第三者に不愉快な感情を喚起させる不愉快文字を含む悪質落書き券であるかを検出する検出部を備えた紙葉類取扱装置が記載されている。具体的には、例えばＡＴＭ（Automated Teller Machine）等の、利用者が現金を投入する装置において、悪質落書き券を検出したときには、悪質落書き券を投入した利用者に関する情報と、悪質落書き券の画像とを記憶すると共に、当該悪質落書き券を利用者に返却することが記載されている。
【先行技術文献】
【特許文献】
【０００３】
【特許文献１】特開２０１３−２４６７７１号公報
【発明の概要】
【発明が解決しようとする課題】
【０００４】
ところで、特許文献１に記載された紙葉類取扱装置では、利用者に関する情報を記憶することによって、悪質落書き券の投入があったこと、及び、投入をした利用者の記録を残すことが可能であるが、悪質落書き券に関する情報をデータベース化して管理及び利用することはできない。また、投入された悪質落書き券は、リジェクト券と同じ扱いにして、利用者に返却しているだけである。
【０００５】
一方で、公序良俗に反するような特定の落書きを含む紙葉類に関する情報をデータベース化して管理及び利用をしたいという要求がある。また、特定の落書きを含む紙葉類をリジェクト券と同じ扱いとして利用者に単に返却するのではなく、受け入れることを可能にすることも求められている。
【０００６】
ここに開示する技術は、かかる点に鑑みてなされたものであり、その目的とするところは、紙葉類処理装置において、特定の落書きを含む紙葉類に関する情報のデータベース化を可能にすることにある。
【課題を解決するための手段】
【０００７】
ここに開示する技術は、紙葉類処理装置に係り、この紙葉類処理装置は、紙葉類を一枚ずつ搬送するよう構成された搬送部と、前記搬送部が前記紙葉類を搬送している最中に、前記紙葉類の画像を取得するよう構成された画像取得部と、前記画像取得部が取得した画像を利用することによって、前記紙葉類の識別を行うよう構成された識別部と、少なくとも前記画像取得部が取得した画像を記憶するよう構成された記憶部と、を備える。
【０００８】
そして、前記識別部は、公序良俗に反するとして予め設定された基準に従って、前記紙葉類に含まれる特定の落書きを検知し、前記記憶部は、前記識別部が前記特定の落書きを検知したときには、前記紙葉類に前記特定の落書きが含まれていることを示す情報と、当該紙葉類の画像と、を対応付けて記憶する。
【０００９】
ここで、「公序良俗」は、公の秩序及び善良の風俗のことであり、公の秩序は、国家社会の一般的な利益を意味し、善良の風俗は、社会の一般的道徳観念を意味するとしてもよい。「公序良俗に反するとして予め設定」される基準は、この紙葉類処理装置が使用される国に応じて、適宜設定されることになる。
【００１０】
前記の構成によると、紙葉類処理装置の識別部は、紙葉類を搬送している最中に紙葉類の識別を行う。識別は、画像取得部が取得した紙葉類の画像を利用して行われる。尚、識別部は、紙葉類の画像のみを利用して識別を行うのではなく、紙葉類に関する種々の情報を取得し、それらの情報を利用して識別を行うようにすればよい。識別部はまた、紙葉類の種類、紙葉類の真偽、及び、紙葉類の正損、を識別するように構成すればよい。
【００１１】
前記の構成では、公序良俗に反する特定の落書きについて予め基準が設定されており、識別部はその基準に従って、紙葉類に含まれる特定の落書きを検知する。この特定の落書き検知は、紙葉類の種類、紙葉類の真偽、及び、紙葉類の正損、の識別とは別に行われる。
【００１２】
記憶部は、識別部が特定の落書きを検知したときには、紙葉類に特定の落書きが含まれていることを示す情報と、当該紙葉類の画像とを対応付けて記憶する。これにより、特定の落書きを含む紙葉類（以下、この紙葉類を特定紙葉類と呼ぶ場合がある）に関するデータベースを構築することが可能になる。このデータベースを利用することによって、特定の落書きを含む紙葉類に関し、様々な処理や分析等が可能になる。
【００１３】
前記紙葉類処理装置は、前記画像取得部が取得した全体画像を元に加工をすることによって、前記紙葉類の一部分の画像を作成するよう構成された画像加工部をさらに備え、前記記憶部は、前記画像取得部が取得した前記紙葉類の全体画像、又は、前記画像加工部が加工した前記紙葉類の一部分の画像を、前記紙葉類に前記特定の落書きが含まれていることを示す情報と対応付けて記憶する、としてもよい。
【００１４】
紙葉類の全体画像は、紙葉類に関する情報量が多い一方で、記憶部に記憶する記憶容量の消費も大きい。一方、紙葉類の一部分の画像は、紙葉類に関する情報量が相対的に少ない一方で、記憶部に記憶する記憶容量の消費は小さくなる。紙葉類の一部分の画像は、例えば紙葉類を特定することが可能な部分の画像とすればよく、例えば紙幣であれば記番号が印字された部分の画像としてもよい。
【００１５】
記憶部は、全体画像、又は、一部分の画像を、紙葉類の特定の落書きが含まれていることを示す情報と対応付けて記憶する。従って、全体画像を記憶するときには、特定紙葉類に関する多くの情報（例えば当該紙葉類を特定する情報の他に、特定の落書きがどのような落書きで、紙葉類のどこに描かれ、どの程度の大きさであるかといった情報も含む）を記憶することが可能になる一方で、記憶部の記憶容量の消費も増える。これに対し、一部分の画像を記憶するときには、特定紙葉類に関し相対的に少ない情報を記憶することになる一方で、記憶部の記憶容量の消費は減る。記憶部が記憶する画像を、全体画像にするか、一部分の画像にするか、をユーザが選択可能に構成すれば、ユーザの利便性が高まる。
【００１６】
前記紙葉類処理装置は、前記識別部が前記特定の落書きを検知したときに、前記紙葉類に前記特定の落書きが含まれていることを示す情報と、当該紙葉類の画像と、を外部装置に出力するよう構成された出力部をさらに備えている、としてもよい。
【００１７】
こうすることで、紙葉類処理装置とは別の、外部装置において、紙葉類に前記特定の落書きが含まれていることを示す情報と、当該紙葉類の画像と、を対応付けて記憶することが可能になる。つまり、紙葉類処理装置とは別の外部装置において、特定紙葉類に関する情報を蓄積したデータベースを構築することが可能になる。尚、外部装置は、例えば１台又は複数台の紙葉類処理装置の管理を行う上位装置としてもよい。
【００１８】
前記紙葉類処理装置は、前記記憶部に記憶されている情報の中から、前記特定の落書きを含む前記紙葉類の検索を行うよう構成された検索部をさらに備えている、としてもよい。
【００１９】
前述したように、特定紙葉類に関する情報を蓄積したデータベースを構築することにより、このデータベースを利用して、特定紙葉類に関する各種の情報の検索が可能になる。
【００２０】
前記識別部は、前記紙葉類が損券であるか、又は、リジェクト券であるかを少なくとも識別し、前記紙葉類処理装置は、前記識別部の識別結果に基づいて、前記紙葉類に関する処理を行うよう構成された処理部と、前記処理部が行う処理の内容をユーザが設定可能に構成された設定部と、をさらに備え、前記設定部は、前記処理部が、前記特定の落書きを含む前記紙葉類である特定紙葉類を、損券として処理するか、又は、リジェクト券として処理するかを、ユーザが切り替え可能に構成されている、としてもよい。
【００２１】
紙葉類が特定落書きを含んでいるか否かは、当該紙葉類が正券であるか損券であるか、また、リジェクト券であるか否かとは別の判断となる。特定紙葉類を、損券として処理するか、又は、リジェクト券として処理するかを、ユーザが切り替え可能にすることで、特定紙幣の取り扱い方法を任意に設定することができ、ユーザの利便性が高まる。これは特に、紙葉類処理装置が、例えば銀行等の金融機関におけるテラーカウンタ等に設置され、当該金融機関のオペレータによって使用される場合に有効である。オペレータが紙葉類処理装置を利用する場合は、特許文献１に記載されているような、顧客が利用をするＡＴＭとは異なり、特定落書きを含む特定紙葉類をリジェクト券として処理せずに、損券として処理をして、紙葉類処理装置が、当該特定紙葉類を受け入れることを可能にしてもよい。すなわち、特定紙葉類を受け入れたとしても、特定紙葉類に関する情報を記憶していることで、後で、特定紙葉類を、他の紙葉類とは別に管理することが可能だからである。
【００２２】
前記紙葉類処理装置は、前記識別部が識別した後の前記紙葉類が搬送される搬送先を複数備え、前記処理部は、前記特定紙葉類を損券として処理するときには、損券が搬送される搬送先に、前記特定紙葉類を搬送する、としてもよい。
【００２３】
前記紙葉類は、紙幣であり、前記処理部は、前記特定の落書きを含む前記紙幣を損券として処理するときには、当該紙幣を、金種毎のカウント対象にする、としてもよい。
【００２４】
前記処理部は、前記特定の落書きを含む前記紙葉類をリジェクト券として処理するときには、前記リジェクト券が搬送されるリジェクト部に、前記特定の落書きを含む前記紙葉類を搬送する、としてもよい。
【００２５】
前記紙葉類処理装置は、集積した前記紙葉類によって構成される束をテープで結束するよう構成されたテープ結束部と、前記テープ結束部で結束する前記紙葉類を集積する集積部と、をさらに備え、前記設定部は、前記処理部が前記特定の落書きを含む前記紙葉類を前記集積部に搬送するときに、当該特定の落書きを含む前記紙葉類を含む束を、前記テープで結束するか、又は、結束しないかを、前記ユーザが切り替え可能である、としてもよい。
【００２６】
こうすることで、ユーザは、特定紙葉類の結束の可否を選択することが可能になるから、ユーザの利便性が向上する。
【発明の効果】
【００２７】
前記紙葉類処理装置によれば、特定の落書きを含む紙葉類に関する情報を蓄積したデータベースを構築することができる。
【図面の簡単な説明】
【００２８】
【図１】紙幣処理装置の外観図である。
【図２】紙幣処理装置の概略構成図である。
【図３】紙幣処理装置の構成を示すブロック図である。
【図４】スタッカに集積する紙幣の組合せを示す表である。
【図５】紙幣処理装置を含む紙幣処理システムの構成を示すブロック図である。
【図６】図５とは異なる紙幣処理システムの構成を示すブロック図である。
【図７】全面キャプチャと、部分キャプチャとを説明する図である。
【図８】データベースの構成の一例である。
【図９】特定落書きに係る処理設定に係る画面の推移を示す図である。
【図１０】ここに開示する技術が適用可能な紙幣入出金機の外観構成を例示する図である。
【図１１】ここに開示する技術が適用可能な両替機の外観構成を例示する図である。
【図１２】ここに開示する技術が適用可能な紙幣整理機の外観構成を例示する図である。
【図１３】ここに開示する技術が適用可能な紙幣分類結束装置の外観構成を例示する図である。
【発明を実施するための形態】
【００２９】
以下、実施形態を図面に基づいて詳細に説明する。
【００３０】
〈紙幣処理装置の概略構成〉
図１は、紙葉類結束装置としての紙幣処理装置１００の外観図を示し、図２は、紙幣処理装置１００の概略構成図を示す。
【００３１】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。
【００３２】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００３３】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００３４】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束スタッカ４は、筐体１２の側面に開口する第１取出口４７を開閉する扉４３（図１参照）を有している。
【００３５】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。非結束スタッカ５は、筐体１２の側面に開口する。
【００３６】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００３７】
紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する通過センサ７４も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００３８】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。
【００３９】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、金種、真偽、及び正損を識別する。尚、詳細は後述するが、識別部３は、紙幣に特定の落書きが含まれているか否かの検出も行う。
【００４０】
結束部９は、集積された紙幣を結束する。結束部９は、テープ輪Ｌを作成し、該テープ輪Ｌの中へ紙幣が搬送された後にテープを引き戻し、紙幣をテープで結束する。
【００４１】
第２搬送部８は、結束スタッカ４に集積された紙幣を把持して、該紙幣をテープ輪Ｌの中へ搬送する。第２搬送部８は、上アーム部８１ａと下アーム部８１ｂとによって紙幣を把持する把持ユニット８１と、把持ユニット８１を水平方向であって且つ紙幣の短手方向へ移動させる第１水平移動機構と、把持ユニット８１を水平方向であって且つ紙幣の長手方向へ移動させる第２水平移動機構と、把持ユニット８１を上下方向へ移動させる上下移動機構とを有している。
【００４２】
第３搬送部１０は、結束紙幣を投出部１１まで搬送する。第３搬送部１０は、上把持部１０１と、下把持部１０２と、上把持部１０１及び下把持部１０２を、紙幣の短手方向の水平方向へ移動させる水平移動機構とを有している。
【００４３】
筐体１２の側面には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００４４】
結束部９は、図２に示すように、テープを供給するテープ供給部９１と、テープでテープ輪Ｌを作成するテープ輪作成部９２と、テープを紙幣に巻き付けた状態でテープ同士を接合するヒータ９５と、テープを紙幣に巻き付けられていない位置で切断するカッタ９６と、テープに印字する印字部９７と、テープに押印する押印部９８とを有している。
【００４５】
テープ供給部９１は、テープがリールに巻き付けられたテープリール９１１と、テープリール９１１から引き出されるテープを搬送するテープ搬送部９１２と、を有している。テープ搬送部９１２は、テープを所定の搬送路に沿って搬送する。テープ搬送部９１２は、図示は省略するが、ガイドと複数のローラ対とを有している。
【００４６】
テープ輪作成部９２は、図２に破線で示すように、テープでテープ輪Ｌを作成し、集積された紙幣が該テープ輪Ｌの中に配置された後に該テープを引き戻して該テープを該紙幣に巻き付ける。
【００４７】
〈紙幣処理装置のシステム構成〉
図３に、紙幣処理装置１００の概略構成を示すブロック図を示す。
【００４８】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、第１搬送部７、第２搬送部８、結束部９、第３搬送部１０及びタッチパネル１７が、信号の送受信可能に接続されている。また、制御部１２０には、紙幣センサ２５、通過センサ７４が接続され、それらの検出信号が入力されるように構成されている。さらに、制御部１２０には、各種の情報を記憶する記憶部１３１、及び、後述するように、上位装置１４０に対して信号を入出力する入出力部１３２がそれぞれ接続され、制御部１２０と、記憶部１３１及び入出力部１３２との間で、各種の信号を入出力するように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。
【００４９】
〈紙幣処理装置の動作説明〉
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の紙幣を第１及び第２結束スタッカ４Ａ，４Ｂに所定枚数ずつ交互に集積し、該所定枚数集積した紙幣を順次、結束部９により結束する同一種類結束処理について説明する。
【００５０】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【００５１】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣の紙幣種別を取得し、その紙幣種別を制御部１２０へ通知する。
【００５２】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【００５３】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。
【００５４】
第１結束スタッカ４Ａに集積された紙幣が結束枚数に達すると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープで結束する。
【００５５】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の搬出が完了しているので、第１結束スタッカ４Ａ内は空の状態になっている。このように、２つの結束スタッカ４を設けることによって、紙幣の集積を連続して行いつつ、結束処理を行うことができる。
【００５６】
続いて、制御部１２０は、第３搬送部１０を制御して、結束紙幣を投出口１１１から投出する。
【００５７】
所定金種の紙幣であって且つ損券紙幣は、第１非結束スタッカ５Ａへ搬送される。こうして、所定金種の紙幣であって且つ損券紙幣は、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【００５８】
以上の処理が、ホッパ部２に載置された紙幣が無くなるまで続けられる。ホッパ部２の紙幣の有無は、紙幣センサ２５によって検知される。
【００５９】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【００６０】
尚、第１及び第２非結束スタッカ５Ａ，５Ｂに集積された紙幣については、再度の取込を行わない。
【００６１】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置１４０（図５、６参照）へ通知され、入金処理が完了する。
【００６２】
入金処理の完了後は、オペレータは、投出部１１に投出されている結束紙幣、結束スタッカ４に集積されている紙幣及び非結束スタッカ５に集積されている紙幣を取り出して所定の収納場所に収納する。
【００６３】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【００６４】
〈各スタッカの設定〉
以上の説明では、第１及び第２結束スタッカ４Ａ、４Ｂには、所定の金種であって正券の紙幣が集積され、第１非結束スタッカ５Ａには、所定の金種であって損券の紙幣が集積され、第２非結束スタッカ５Ｂには、所定の金種以外の金種の紙幣が集積される。
【００６５】
しかしながら、紙幣処理装置１００は、第１及び第２結束スタッカ４Ａ，４Ｂ並びに第１及び第２非結束スタッカ５Ａ，５Ｂに集積する紙幣を適宜設定することができる。スタッカに集積する紙幣の組合せ（つまり、スタッカパターン）の例を図４に示す。尚、図４において、「新／旧」は、スタッカに、新券及び旧券の一方を集積し、「旧／新」は、それとは逆に、スタッカに、新券及び旧券の他方を集積することを意味する。「表／裏」は、スタッカに、表面及び裏面の一方が上向きの紙幣を集積し、「裏／表」は、それとは逆に、スタッカに、表面及び裏面の他方が上向きの紙幣を集積することを意味する。「前／後」は、スタッカに、印刷の向きが搬送方向と一致する紙幣、又は、搬送方向とは反対の紙幣を集積し、「後／前」は、それとは逆に、スタッカに、印刷の向きが搬送方向とは反対の紙幣、又は、搬送方向と一致する紙幣を集積すること意味する。また、図４において、紙幣の内容が記載されていないスタッカは、任意の紙幣を設定することができる。第１結束スタッカ４Ａと第２結束スタッカ４Ｂとで集積する紙幣を入れ替えてもよい。同様に、第１非結束スタッカ５Ａと第２非結束スタッカ５Ｂとで集積する紙幣を入れ替えてもよい。図４は、例示であり、これ以外の組合せもあり得る。
【００６６】
〈特定の落書きを含む紙幣の記憶及び管理〉
この紙幣処理装置１００は、紙幣が、公序良俗に反する特定の落書きを含むか否かを検出し、特定の落書きを含むとき（以下、特定の落書きを含む紙幣を、特定紙幣と呼ぶ場合がある）には、それに関する情報を記憶しかつ、管理するように構成されている。以下、このことについて詳述する。
【００６７】
図５は、前述した紙幣処理装置１００を含む紙幣処理システムの構成を例示している。この紙幣処理装置１００には、上位装置１４０が、無線又は有線の通信線１４２を介して接続される。ここでいう通信線１４２には、ＬＡＮ又はＷＡＮ等のネットワークも含まれる。紙幣処理装置１００は、前述したように記憶部１３１を有している。記憶部１３１は、ここでは特に、前述した特定の落書きを含む紙幣に関する情報と、紙幣に関する画像とを関連づけて記憶する。このことについての詳細は後述する。記憶部１３１は、磁気ディスクを有するハードディスクドライブ、フラッシュメモリを有するＳＳＤ（Solid State Drive）、又は、ＳＤカード等の各種メモリカードから構成される。記憶部１３１は、紙幣処理装置１００の本体に対し、いわゆる外付けで、脱着可能に接続する構成を採用してもよい。こうすることで、記憶部１３１の記憶容量が無くなったときには、新たな記憶部１３１と交換することが容易になる。
【００６８】
紙幣処理装置１００は、前述したように制御部１２０を有しており、この制御部１２０は、詳しくは、紙幣処理装置１００において紙幣の搬送等のハードウエア部分の制御を主に行うメカ基板１２０２と、紙幣処理装置１００のタッチパネル１７の表示及び操作や、後述する特定紙幣についての情報の記憶及び検索等のソフトウエア部分の制御を主に行うＰＣ基板１２０３とを含んで構成されている。識別部３は、これらメカ基板１２０２及びＰＣ基板１２０３とは異なる、識別基板３４を有している。識別基板３４は、メカ基板１２０２及びＰＣ基板１２０３のそれぞれに接続されている。識別基板３４は、後述するように、これらの基板１２０２、１２０３に対して、識別情報や特定の落書きに係る情報、及び、画像を提供する。メカ基板１２０２は、ＰＣ基板１２０３に対して、紙幣に関する情報を提供する。ＰＣ基板１２０３は、記憶部１３１に対して情報を提供すると共に、記憶部１３１から情報の提供を受ける。ＰＣ基板１２０３はまた、上位装置１４０に対して、入出力部１３２を通じて情報を提供する。
【００６９】
識別部３は、紙幣の識別と共に、記番号の読み取りを行う。記番号の読み取りは、ラインセンサ３１によって取得した紙幣の全体画像を元に行われる。具体的にラインセンサ３１は、図７に示すように、搬送中の紙幣の全体画像（つまり、全面キャプチャ）を取得する。全面キャプチャは、所定階調のグレースケールの画像である。
【００７０】
識別部３は、全面キャプチャの取得後に、その全面キャプチャと、識別結果から得られる紙幣の種別情報と、に基づいて、当該紙幣における記番号の印字位置を特定する。識別部３は、特定した記番号の印字位置に基づいて、全面キャプチャから、その印字位置を含む所定のエリアを切り出して、エリア画像を作成すると共に、そのエリア画像の二値化画像を作成する。識別部３はまた、二値化したエリア画像から、記番号に含まれる一文字毎のセグメントを切り出して、二値化のセグメント画像を作成する。エリア画像及びセグメント画像を総称して、部分キャプチャ（つまり、紙幣の一部分の画像）と呼ぶ場合がある。
【００７１】
そうして二値化のセグメント画像を作成すれば、識別部３は、その二値化のセグメント画像についてＯＣＲ処理を行う。このＯＣＲ処理によって各文字が認識され、紙幣に印字されている記番号が読み取られることになる。識別部３は、画像加工部の一例である。
【００７２】
識別基板３４はまた、全面キャプチャに基づいて、当該紙幣に特定の落書きがあるか否かを検出する。つまり、特定紙幣の検出を行う。この検出は、識別基板３４に、予め記憶されている基準に従って行われる。この基準は、公序良俗に反するとして予め設定される基準であって、紙幣処理装置１００が使用される国に応じて、適宜設定されることになる。また、ここでいう「落書き」には、紙幣の表面又は裏面に手書きで書かれた落書きの他、紙幣の表面又は裏面に印刷機やプリンターにより印字された落書きや、紙幣の表面又は裏面にスタンプ等により押印された落書きも含まれる。その大きさも、様々な大きさの落書きが含まれる。識別基板３４に記憶されている特定の落書きに関する基準は、ファームウエアのアップデートによって更新することが可能に構成されている。これにより、次々と新しく現れる、様々な形態の特定の落書きも検出することが可能になり、高い検出精度を維持することが可能になる。
【００７３】
識別基板３４は、識別結果（紙幣の金種、真偽及び正損等の情報）と、記番号と、特定紙幣に関する情報とを、メカ基板１２０２に対して出力する。メカ基板１２０２は、識別結果及び特定紙幣に関する情報に基づいて、搬送中の紙幣の搬送先を、前述したスタッカパターンに従って決定し、所定の搬送先に各紙幣が搬送されるよう、振り分け機構７３を制御する。制御部１２０は処理部を構成する。
【００７４】
識別基板３４はまた、キャプチャと、識別結果と、記番号と、特定紙幣に関する情報とを、ＰＣ基板１２０３に対して出力する。キャプチャは処理時間がかかるため、各紙幣の搬送中にリアルタイムに出力することができない。そのため、識別基板３４は、キャプチャを、特定紙幣に関する情報と共に、メカ基板１２０２ではなく、ＰＣ基板１２０３に出力する。
【００７５】
ＰＣ基板１２０３は、リジェクト紙幣以外の、紙幣処理装置１００が受け入れる各紙幣について、キャプチャと紙幣に関する情報とを記憶部１３１に出力し、記憶部１３１は、キャプチャと紙幣に関する情報とを対応付けて記憶する。この「紙幣に関する情報」には、識別結果、記番号、及び、特定紙幣に関する情報が含まれる。
【００７６】
図８は、記憶部１３１に記憶されるデータ構造を例示している。図例では、シリアルナンバーに対応付けて、取引番号、紙幣の記番号、金種、正損、キャプチャに加えて、特定の落書きの有無の各情報が記憶されている。図例では、シリアルナンバー３の紙幣に、特定の落書きが含まれることが記憶されている。ここで、記憶部１３１に記憶するキャプチャは、全面キャプチャ及び部分キャプチャのいずれでもよい。ユーザ（ここでいうユーザは、紙幣処理装置１００を用いて入金処理等を行うオペレータであってもよいが、紙幣処理装置１００の運用を行うマネージャー等でもよい）が、記憶部１３１に全面キャプチャを記憶するか、又は、部分キャプチャを記憶するかを、任意に選択するようにしてもよい。また、記憶部１３１に記憶をするタイミングは、紙幣処理装置１００が入金処理をしている最中に行ってもよいし、入金処理が完了した後に行ってもよい。
【００７７】
ＰＣ基板１２０３はまた、入出力部１３２を介して、上位装置１４０に、キャプチャと紙幣に関する情報とを出力する。上位装置１４０は、図示を省略するが、記憶部１３１と同様の記憶部を備えており、その記憶部に、図８に示すような構造のデータベースを構築するように構成されている。例えば上位装置１４０の記憶部が、記憶容量が相対的に大きいような場合は、上位装置１４０では、全面キャプチャを記憶する一方、記憶部１３１には、部分キャプチャを記憶するようにしてもよい。尚、記憶部１３１にのみデータベースを構築するか、上位装置１４０にのみデータベースを構築するか、又は、記憶部１３１と上位装置１４０との双方にデータベースを構築するか、をユーザが任意に設定できるようにしてもよい。尚、上位装置１４０に出力をするタイミングは、紙幣処理装置１００が入金処理をしている最中に行ってもよいし、入金処理が完了した後に行ってもよい。
【００７８】
こうして、紙幣処理装置１００が処理をすることに伴い、特定紙幣に関するデータベースを構築することが可能になる。記憶部１３１及び／又は上位装置１４０のデータベースを利用すれば、例えば「特定紙幣有」を検索キーにして、データベースを検索することにより、特定紙幣が含まれていた取引を特定したり、その取引に係る顧客を特定したりすることが可能になる。また、特定紙幣のキャプチャを確認することも可能になる。また、所定の期間における特定紙幣の枚数を計数する等、データベースを利用して、特定紙幣に関する様々な分析を行うことも可能になる。こうして、ユーザの利便性を向上させることができる。具体的には、制御部１２０が、タッチパネル１７の操作に応じて、記憶部１３１のデータベースを参照し、指定された情報を、タッチパネル１７に表示することになる。従って、制御部１２０は、検索部を構成する。
【００７９】
図６は、紙幣処理装置１００の別構成を示している。この構成では、図５に示す紙幣処理装置１００とは異なり、識別部３が、識別基板３４の他に、オプション基板３５を備えている。オプション基板３５は、キャプチャに係る処理を行う基板である。識別基板３４とは別に、このオプション基板３５を備えることによって、識別部３における処理を２つの基板で分担することができ、処理速度の向上が図られる。オプション基板３５は、キャプチャと、識別結果と、記番号と、特定紙幣に関する情報とをＰＣ基板１２０３に出力する。一方、識別基板３４は、識別結果と、記番号と、特定紙幣に関する情報とを、メカ基板１２０２に出力する。
【００８０】
〈特定の落書きを含む紙幣についての処理設定〉
この紙幣処理装置１００はまた、特定の落書きを含む特定紙幣についての処理内容を、ユーザが、任意に設定可能に構成されている。紙幣処理装置１００のタッチパネル１７は、制御部１２０による制御を通じて、特定紙幣の処理に関する各種の設定を行うための設定画面を表示する。タッチパネル１７は、設定部を構成する。次に、図９に示す、タッチパネル１７の表示図面を参照しながら、特定の落書きを含む紙幣についての処理内容に関する設定について説明する。尚、図９の各画面は全て例示である。
【００８１】
図９の画面Ｓ１は、特定落書きを含む紙幣を、損券扱いにするか、又は、リジェクト券扱いにするかを選択するための画面の一例である。この設定画面には、「損券」の選択ボタンと、「リジェクト」の選択ボタンとが含まれている。ユーザは、「損券」又は「リジェクト」のいずれかの選択ボタンを選択操作することが可能である。「損券」を選択したときには、特定の落書きを含む特定紙幣は損券扱いになり、「リジェクト」を選択したときには、特定紙幣はリジェクト紙幣扱いになる。この内、損券扱いを選択したときには、入金処理時に、特定紙幣は、損券として金種毎の計数対象となる。つまり、特定紙幣は、その取引において、一応、受け入れられる紙幣となる。これに対し、リジェクト紙幣扱いを選択したときには、入金処理時に、特定紙幣はリジェクトスタッカ６に搬送されることになる。従って、特定紙幣は、その取引において、受け入れられない紙幣となり、顧客に返却される。
【００８２】
図９の画面Ｓ１において「リジェクト」を選択したときには、これ以上の設定項目はないため、設定画面は終了する。
【００８３】
これに対し、画面Ｓ１において「損券」を選択したときに、損券扱いをする特定紙幣の搬送先を指定するための画面Ｓ２が、タッチパネル１７に表示される。この搬送先指定画面Ｓ２には、一例として、「スタッカパターン通り」「リジェクトスタッカ」及び「指定搬送先」の３つの選択ボタンが含まれている。この内、「スタッカパターン通り」を選択したときには、図４に示すように、当該紙幣処理装置１００において、予め設定されているスタッカパターンに従って、損券扱いの特定紙幣が搬送される。つまり、特定紙幣と同じ金種の損券が搬送される搬送先（結束スタッカ４、又は、非結束スタッカ５）に、特定紙幣は搬送される。
【００８４】
画面Ｓ２において「リジェクトスタッカ」を選択したときは、損券扱いの特定紙幣は、リジェクトスタッカ６に搬送される。また、画面Ｓ２において「指定搬送先」を選択したときには、設定されているスタッカパターンとは別に、特定紙幣の搬送先を、ユーザが任意に設定することが可能になる。この「指定搬送先」を選択したときには、特定紙幣の搬送先を、具体的に指定するための新たな画面Ｓ３が、タッチパネル１７に表示される。
【００８５】
この画面Ｓ３には、「第１結束スタッカ」「第２結束スタッカ」「第１非結束スタッカ」及び「第２非結束スタッカ」の４つの選択ボタンが設けられている。ユーザは、いずれかの選択ボタンを選択することによって、特定紙幣の搬送先を、所望の搬送先に設定することが可能になる。
【００８６】
画面Ｓ２において「スタッカパターン通り」を選択した結果、特定紙幣が結束スタッカ４に搬送されることになった場合、又は、画面Ｓ３において「第１結束スタッカ」又は「第２結束スタッカ」を選択した結果、特定紙幣が結束スタッカ４に搬送されることになった場合には、結束の可否を設定するための新たな画面Ｓ４が、タッチパネル１７に表示される。この画面Ｓ４は、特定紙幣を含む紙幣を、テープによって結束するか、又は、結束しないか（つまり、結束を行わずに、扉４３を開けて、紙幣をオペレータに返却するか）を設定する。この画面Ｓ４には「結束する」の選択ボタンと、「結束しない」の選択ボタンとの２つの選択ボタンが含まれている。ユーザは、いずれかの選択ボタンを押すことによって、結束の可否を設定することが可能である。
【００８７】
こうして、この紙幣処理装置１００では、特定の落書きを含む特定紙幣を、損券扱いとするか、リジェクト券扱いとするか、変更することが可能であると共に、特定紙幣の搬送先を、第１結束スタッカ４Ａ、第２結束スタッカ４Ｂ、第１非結束スタッカ５Ａ、第２非結束スタッカ５Ｂ及びリジェクトスタッカ６の中から、選択することが可能である。こうして、特定紙幣についての処理内容が変更可能であるから、紙幣処理装置１００の運用が柔軟になり、利便性が高まる。
【００８８】
また、特定紙幣を損券扱いにしたときには、その特定紙幣を、金種毎の計数対象とすることが可能になる。紙幣処理装置１００は、前述の通り、銀行のテラーカウンタに設置される装置であって、顧客が直接操作をするのではなく、オペレータが使用をするため、特定紙幣を、リジェクト券扱いにしなくても、損券扱いとして受け入れることも可能になる。特定紙幣が存在していたときには、特定紙幣の搬送先の設定に基づいて、その特定紙幣を速やかに見つけることが可能である。
【００８９】
さらに、特定紙幣を結束スタッカ４に搬送するよう設定したときには、特定紙幣が含まれる紙幣の結束の可否を設定することが可能である。特定紙幣が含まれる紙幣を結束しないときには、結束スタッカ４に特定紙幣が搬送されたときに、集積された紙幣の結束が行われず、結束スタッカ４に特定紙幣が搬送されなかったときに、紙幣の結束が行われる。結束紙幣が存在するときには、扉４３が開いて、結束スタッカ４内の紙幣を取り出すことが可能になるから、取り出した紙幣の中から、特定紙幣を取り除くことが容易に行い得る。こうして、結束の可否を、ユーザが任意に設定することが可能であるから、特定紙幣に関する処理運用をスムースに行うことも可能になる。
【００９０】
また、これとは異なり、特定紙幣を結束スタッカ４に搬送するよう設定しかつ、紙幣の結束を行わないことを設定したときには、結束スタッカ４に特定紙幣が搬送されたか、搬送されなかったかに拘わらず、紙幣の結束を行わないようにしてもよい。
【００９１】
尚、結束スタッカ４は通常、図４に示すように、同一金種の紙幣を集積するように設定される。これは、金種によって紙幣のサイズが異なる場合があり、異なるサイズの紙幣を集積すると、結束をすることができないためである。しかしながら、特定紙幣を結束スタッカ４に搬送しかつ、結束を行わない設定とするのであれば、異なる金種の紙幣を、結束スタッカ４に搬送するようにしてもよい。
【００９２】
〈その他の実施形態〉
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９３】
前記実施形態について、以下のような構成としてもよい。
【００９４】
前記実施形態では、紙葉類処理装置の例として紙幣処理装置１００について説明したが、紙葉類処理装置はこれに限られるものではない。ここに開示する技術は、様々な紙葉類処理装置に適用することが可能である。
【００９５】
図１０は、紙葉類処理装置の一例として、紙幣入出金機１００１を例示している。この紙幣入出金機１００１は、紙幣の入金処理及び出金処理を少なくとも実行するように構成されている。紙幣入出金機１００１は、入金する紙幣が投入される入金部１００１ａと、出金する紙幣が投出される２つの出金部１００１ｂとを備えており、装置の内部には、図示を省略するが、紙幣の識別を行う識別部、及び、それぞれ紙幣を収納する複数の収納部を備えている。こうした紙幣入出金機１００１においては、入金処理や、収納部内に紙幣を補充する補充処理等の、入金部１００１ａを通じて紙幣入出金機１００１内に紙幣を受け入れる処理を行う際に、識別部が、特定の落書きの有無を検出するようにし、キャプチャと、特定紙幣に関する情報とを対応付けて、記憶部に記憶すればよい。
【００９６】
図１１は、紙葉類処理装置の一例として、両替機１００２を例示している。この両替機１００２は、顧客が、例えば、高額紙幣を少額紙幣や硬貨に両替するよう構成されている。両替機１００２は、紙幣を投入するための紙幣入金口１００２ａ、紙幣を受け取るための紙幣出金口１００２ｂ、バラ硬貨を投入するためのバラ硬貨入金口１００２ｃ、バラ硬貨を受け取るためのバラ硬貨出金口１００２ｄ、及び、包装硬貨を受け取るための包装硬貨出金口１００２ｅ、を備えており、その内部には、識別部と、硬貨や紙幣を収納する複数の収納部とを備えている。こうした両替機１００２においては、紙幣入金口１００２ａを通じて装置内に紙幣を受け入れる際に、識別部が、特定の落書きの有無を検出するようにし、キャプチャと、特定紙幣に関する情報とを対応付けて、記憶部に記憶すればよい。
【００９７】
図１２は紙葉類処理装置の一例として、紙幣整理機１００３を例示している。この紙幣整理機１００３は、投入された複数枚の紙幣を、予め設定された仕分け内容に従って仕分けて計数するよう構成されている。紙幣整理機１００３は、紙幣を投入するホッパ１００３ａと、リジェクト紙幣を投出する２つのリジェクト部１００３ｂと、それぞれ紙幣を集積する４つの集積部１００３ｃとを備えており、その内部には、識別部を備えている。こうした紙幣整理機１００３においては、ホッパ１００３ａを通じて装置内に紙幣を受け入れる際に、識別部が、特定の落書きの有無を検出するようにし、キャプチャと、特定紙幣に関する情報とを対応付けて、記憶部に記憶すればよい。
【００９８】
図１３は紙葉類処理装置の一例として、紙幣分類結束装置１００４を例示している。この紙幣分類結束装置１００４は、入金処理時に、集積カテゴリ及び紙幣種別毎に、投入された紙幣を分類して集積すると共に、分類集積した集積カテゴリ及び紙幣種別別の紙幣をテープで結束するよう構成されている。紙幣分類結束装置１００４は、紙幣が投入される投入部１００４ａと、それぞれ紙幣を集積する複数の集積部１００４ｂと、結束した紙幣を投出する投出部１００４ｃと、を備えており、その内部には、識別部を備えている。こうした紙幣分類結束装置１００４においては、投入部１００４ａを通じて装置内に紙幣を受け入れる際に、識別部が、特定の落書きの有無を検出するようにし、キャプチャと、特定紙幣に関する情報とを対応付けて、記憶部に記憶すればよい。
【００９９】
また、紙葉類の例として紙幣について説明したが、紙葉類は紙幣に限られず、商品券等の金券であってもよい。
【符号の説明】
【０１００】
１７  タッチパネル（設定部）
１００    紙幣処理装置（紙葉類処理装置）
１２０  制御部（処理部、検索部）
１３１  記憶部
１３２  入出力部（出力部）
１４０  上位装置（外部装置）
１００１  紙幣入出金機（紙葉類処理装置）
１００２  両替機（紙葉類処理装置）
１００３  紙幣整理機（紙葉類処理装置）
１００４  紙幣分類結束装置（紙葉類処理装置）
３  識別部（画像加工部）
３１  ラインセンサ（画像取得部）
４  結束スタッカ（搬送先、集積部）
５  非結束スタッカ（搬送先）
６  リジェクトスタッカ（リジェクト部）
７  第１搬送部（搬送部）
９  結束部（テープ結束部）
【図１】
2016081283.tif 000003
【図２】
2016081283.tif 000004
【図３】
2016081283.tif 000005
【図４】
2016081283.tif 000006
【図５】
2016081283.tif 000007
【図６】
2016081283.tif 000008
【図７】
2016081283.tif 000009
【図８】
2016081283.tif 000010
【図９】
2016081283.tif 000011
【図１０】
2016081283.tif 000012
【図１２】
2016081283.tif 000013
【図１３】
2016081283.tif 000014
【図１１】
2016081283.tif 000015